(57)【要約】【課題】  本発明は、男性外部生殖器形成不全を処置するためにデザインされた装具について述べている。【解決手段】  本発明の装具は、動力システム（５）及び腺防御システム（１５）に関連付けられた外部生殖器固定（１；１３）を使用する点で独特である。外部生殖器下部固定（１）及び上部固定（１３）のシステムは、外部男性生殖器に牽引力を生じさせる。動力システム（５）は、男性生殖器に組織伸展を生み出す。腺防御システム（１５）は創傷の可能性を阻止し、これにより、不快感なくこの装具を長期間使用することを可能としている。この装具の使用者は、一日当たり数時間装着しつつ、数ヶ月装着可能である。このようにして、経時的な組織伸展及び継続的な伸展の可能性は、この外部男性生殖器形成不全の処置に関して基礎となっている。【選択図】  図１
2004321780.tif 000002
【特許請求の範囲】
【請求項１】
男性生殖器の形成不全を処置する装具であって、
生殖器外部固定システム（１；１３）、
内部保持システム（２；３；４；５；８）、
組織伸展動力システム（５；６；７；８）、及び
腺防御システム（１５）、
を有し、
前記生殖器外部固定システムは、下部要素（１）及び上部要素（１３）を備え、
前記下部要素（１）は、該下部要素（１）の傾斜領域が前記男性生殖器に適合するように使用者の恥骨領域上に配置される傾斜基部を有し、
該下部要素（１）には、二つの円形要素（２）が当該装具の両側に配置されており、
該円形部品（２）のそれぞれは、管状セット（３；４；５；７）に取り付けられており、かつ、前記生殖器外部固定システム（１；１３）の前記内部固定システム（２；３；４；５；８）を形成しており、
前記内部固定システム（２；３；４；５；８）は前記管状セット（３；４；５；８）の端部部品（８）に伸縮可能に導入された第２要素（９；１０；１１；１２）を有しており、かつ、
前記管状セット（３；４；５；８）の内部に前記動力システム（５；６；７；８）が挿入されている、
ことを特徴とする装具。
【請求項２】
前記動力システム（５；６；７；８）は、シリンダー（５）、下部スクリュー（６）、スプリング（７）及び上部スクリュー（８）を有しており、前記生殖器外部固定システムの上部要素（１３）において前記管状セット（３；４；５；８）のそれぞれの端部に適合しており、かつ、前記管状セット（３；４；５；８）を安定化するプラスティック支持体を有しており、
前記男性生殖器固定システムの上部要素（１３）は、前記腺が当該装具に配置されている位置に存在しており、該上部要素（１３）の後部側に端部が適用されているシリコンリング（１４）により補助され、
前記腺防御システム（１５）は、前記シリコンリングを有する、
ことを特徴とする請求項１に記載の装具。
【発明の詳細な説明】
【技術分野】
【０００１】
本発明は、男性生殖器の永続的に伸張させる方法に関する。また、本発明は、この方法を行うための装具にも関する。
【背景技術】
【０００２】
１９０５年以来、身体の一部を伸張させるための組織牽引物の使用が知られており、１９５７年、ニューマンは、実用的に組織伸展術を行った。指の牽引は、当初、１９７７年米国整形外科学会にて、アメリカン・コーウェンにより述べられ、その中で、彼は、生まれながら極端に短い指を持つ子供の指を通常の長さに伸展させることについて述べた。彼の臨床的組織妨害の原理において、コーウェンは、身体末端部における血管及びその他の「全て」の組織は、牽引の割合が「神経再生率」を超えない限り、伸展されることを見出した。
【０００３】
動物実験にて示されたのは、その表皮は、基底層における細胞分裂活性を増加させることにより一定の伸展／張力に反応することであり、工程は、２４から４８時間以内で最大に達し、６日以内で正常化する。
【０００４】
動物実験にて示されたのは、表皮の伸展は、若干表皮の厚みを減少させることである。表皮の厚みの正常化は、伸展の２年後であることが報告されている。
【０００５】
導入部にて述べたタイプの装置は、関連する間、つまり短期間の補助物として使用されることが知られている。
【０００６】
特許文献１は、関連する間、身体に固定された角度にて男性生殖器を支持するための、上述の導入部にて述べたタイプの装具を開示している。この装置を取り付ける前に、関連する男性生殖器の長さに適合すべく調節しなければならない。この装置の長さの調節に関する実行可能性は、この文献で言及されていない。特許文献２は、男性生殖器を強化するための別の装具を開示している。
【０００７】
特許文献３は、尿道をまっすぐに伸ばすための装具を開示しており、これにより、男性生殖器を傾かせ、排尿に痛みを起こす創傷などの疾病を回復させる。この装置は、男性生殖器に沿って延び、かつ、男性生殖器を支持すべく適合された金属ロッドを供えている。この装置は、関連する男性生殖器に適合すべく構築され、男性生殖器を伸展することはないが、排尿などに関連して、痛みを回復させるために男性生殖器をまれにまっすぐに伸ばすことがある。本発明の装具と同様、この装具は、長い期間装着可能であるように、男性生殖器の端部近傍にヒンジ要素を備えている。
【特許文献１】国際公開第８４／９１２８４号パンフレット
【特許文献２】欧州特許３７０９３２号明細書
【特許文献３】独国特許発明第１６６１６８号明細書
【発明の開示】
【発明が解決しようとする課題】
【０００８】
上述の装置に関して一般的なのは、男性生殖器をまっすぐに伸ばすべくもっぱら適合されているということである。従って、この装置は、長さを調節されるべく適合されておらず、さらに、関連する間、装着されるべく適合されるのみである。
【課題を解決するための手段】
【０００９】
本発明の装具は、男性生殖器近傍に適合される実質的にリング型の要素を備え、ヒンジ要素によりこのリング型要素に一端で固定され、かつ、男性生殖器に沿ってその腺の周辺領域へと実質的に延びている要素が取り付けられている。
【００１０】
本発明は、男性生殖器の外的な形成不全を処置するためにデザインされた装具について述べており、組織の成長及び存在する弯曲の修正を生じさせる。
【発明の効果】
【００１１】
本発明の装具は、動力システム及び腺防御システムに関連した外的生殖器固定を用いている点で独特である。
【００１２】
外的生殖器固定システムは、男性生殖器に牽引力を生じる。この動力システムは、男性生殖器に組織伸展を生じさせる。腺防御システムは、可能性のある断裂を阻止し、これにより、不快感なく長期間この装具を使用することを許容する。この装具の使用者は、一日当たり数時間にて、数ヶ月装着可能である。この方法により、経時的に、組織伸展及び持続的な伸展の機会は、外的な男性生殖器の形成不全処置に関して基礎となっている。
【発明を実施するための最良の形態】
【００１３】
本発明のこれら及びその他の特徴及び利点は、示された例及び限定しない添付した図面を参照して、以下の詳細な記述にてより良好に説明される。
【００１４】
本発明を好適に実行することに関して詳細に記載すべく、添付図面並びに示された異なる部品及びセクションに関して参照する。
【００１５】
本発明の装具は、生殖器外部固定システム、内部固定システム、腺防御システム及び組織伸展動力システムにて構成されている。
【００１６】
この方式において、図１を参照すると、男性生殖器に配置された本装具の全体を概観することができる。
【００１７】
図１に示されているように、外部固定システムは、下部要素１及び上部要素１３にて形成されている。外的生殖器固定におけるこの下部要素１は、角度を有する基部であり、使用者の恥骨領域に配置され、身体の内的角度領域周辺にてこの装具が配置されている。男生殖器外部固定システムにおける下部要素１において、側部分の両方においてそれぞれが配置されている二つの円形要素２が組み込まれている。
【００１８】
図１及び図４を参照すると、各円形ツール２は、スクリュー３でできた管状セット、下部ヘッドを伴ったスクリュードライバー４、金属チューブ５、及び上部スクリュー８に取り付けられており、これらすべての部品は、外部生殖器固定１；１３の内部固定を作り出している。
【００１９】
図１において、生殖器外部固定１３の上部要素に適用した内部固体システムのそれぞれが見出される。生殖器外部固定の上部１３は、内部固定システムのそれぞれの最終的な端部側面を導入すべく、二つのホールを伴ったプラスティック支持体である。
【００２０】
図１及び図２において観察されるのは、生殖器外部固定の上部要素１３は、腺を装具に固定していることであり、端部が生殖器外部固定１３の上部要素の上部部分に適合しているシリコンリング１４により補助されている。このシリコンリング１４は、腺防御システム１５に配置されている。
【実施例】
【００２１】
図２において、発明の装具は、ツール８から伸縮自在に導入された、内部固定システムにおける第２要素９；１０に関して示している。この第２要素９；１０は、外部固定システム１；１３に男性生殖器の長さを適合するのに必要である。図２に示すように、男性生殖器に配置された本発明の装具を後部から概観することができる。
【００２２】
図３は、内部固体システムにおいて利用可能な異なる第２要素９；１０；１１；１２を示している。この第２要素９；１０；１１；１２は、数及び寸法を変化させるスクリュー形を有している。
【００２３】
図４は、内部固定及び動力システムに関する図を示している。円形ピース２のそれぞれは、金属バー３にてできた管状セット、下部端部を有する調節可能スクリュー、金属チューブ５及び上部調節可能スクリュー８に一体化しており、これら部品の全ては、生殖器外部固定１；１３の内部固定システムを作り出している。動力システムは、シリンダー５、下部内部スクリュー６、スプリング７及び上部調節可能スクリュー８にて構成されている。
【００２４】
図５は、シリコンリング１４及び腺防御システム１５を示している。腺防御システム１５はシリコンリング１４に配置され、腺の溝領域に配置される。腺防御システム１５は、緩衝材及び牽引要素により構成されている。
【００２５】
当業者は本発明に由来する目標及び利点を理解可能であるので、本発明の機能を開発し考慮すべくこの既述の内容を展開する必要はない。
【００２６】
それにもかかわらず、理解すべきことは、本発明は好適な取り扱いに従って述べられてきており、本発明の基礎を改変し、かつ、この形状を、製造時の寸法及び要素ではなく、変更することを意味していない改変を行ってもよい、ということである。
【図面の簡単な説明】
【００２７】
【図１】男性化生殖器に適合した装具の全体を示している。
【図２】男性生殖器に配置され、後部から観察した、顕微鏡的な方法にて付加された内部固定に関する第二要素を伴った装具を示している。
【図３】利用可能な内部固定システムに関する異なる第二要素を示している。
【図４】内部固定システム及び動力システムに関する図を示している。
【図５】シリコンリング及び腺防御システムを示している。
【符号の説明】
【００２８】
１  下部要素
２  円形要素
３  スクリュー
４  スクリュードライバー
５  金属チューブ
６  下部内部スクリュー
７  スプリング
８  上部スクリュー
９  第２要素
１０  第２要素
１１  第２要素
１２  第２要素
１３  上部要素
１４  シリコンリング
１５  腺防御システム
【図１】
2004321780.tif 000003
【図２】
2004321780.tif 000004
【図３】
2004321780.tif 000005
【図４】
2004321780.tif 000006
【図５】
2004321780.tif 000007